(57)【特許請求の範囲】
【請求項１】
ユーザ端末が測定タスクのレポートステータスを検出し、
前記測定タスクが終了している、又は、報告されなくなった場合、前記ユーザ端末が前記測定タスクの測定を中止し、
前記測定タスクが終了していない、又は、報告され続けている場合、前記ユーザ端末が前記測定タスクの測定を継続し、
ＲＵＮＮＩＮＧである、前記測定タスクの前記レポートステータスを特定する、前記測定タスクの識別子に対応するステータスを始めに設定するステップと、
前記測定タスクの前記特定されたレポートステータスに従って、前記測定タスクのレポートステータスとして前記測定タスクが終了していない、又は、報告され続けていることが検出された場合、前記ユーザ端末が、前記測定タスクの前記識別子に対応する測定オブジェクトによって示される単一周波数または周波数群上のセルの測定を継続するステップと、
前記測定タスクの前記識別子に対応するレポートタイプが周期トリガ報告であると判定するステップと、
レポート計数値が所定の最大レポート回数以上である場合、前記測定タスクの前記特定されたレポートステータスを更新してＦＩＮＩＳＨにするステップと、
前記測定タスクの前記特定されて更新されたレポートステータスに従って、前記測定タスクの前記レポートステータスとして前記測定タスクが終了しているか、または、前記測定タスクが引き続き報告されなくなったことが検出された場合、前記ユーザ端末が、前記測定タスクに対応する前記測定オブジェクトによって示される前記単一周波数または周波数群上の前記セルの測定を中止するステップとをさらに含む
測定実施方法。
【請求項２】
請求項１に記載の測定実施方法であって、
前記測定タスクの測定オブジェクトは、前記測定タスクに対応する単一周波数または周波数群上のセルである
測定実施方法。
【請求項３】
請求項１に記載の測定実施方法であって、
終了していない、又は、報告され続けている前記測定タスクは、検出する必要はないが、常に測定される
測定実施方法。
【請求項４】
請求項３に記載の測定実施方法であって、
前記測定タスクは、イベントトリガ報告方式で報告される測定タスクである
測定実施方法。
【請求項５】
請求項１に記載の測定実施方法であって、
前記ユーザ端末が初期測定構成処理、測定再構成処理、ハンドオーバ処理または接続再確立処理にかけられる場合、ＲＵＮＮＩＮＧである、前記測定タスクの前記レポートステータスを特定する、各測定タスクに対応する各識別子のステータスが始めに設定され、
前記測定タスクが終了した場合、前記測定タスクの前記識別子に対応する前記ステータスによって特定される前記測定タスクの前記レポートステータスが更新されてＦＩＮＩＳＨになる
測定実施方法。
【請求項６】
請求項１に記載の測定実施方法であって、
測定レポートリストの前記測定タスクの識別子に対応する測定レポートに対する判定結果に従って前記測定タスクの前記レポートステータスを検出するステップと、
前記判定結果として、前記ユーザ端末が、前記測定タスクの前記識別子に対応する測定レポートを見つけていないか、または、前記測定タスクの前記識別子のレポートタイプがイベントトリガ報告であるかまたは前記測定タスクの前記識別子の前記レポートタイプが周期トリガ報告であり、かつ、前記ユーザ端末が、レポート計数値が所定の最大レポート回数未満である前記測定の前記識別子に対応する測定レポートを見つけた場合、前記測定タスクの前記レポートステータスとして前記測定タスクが終了していない、又は、報告され続けていると判定し、前記ユーザ端末が、前記測定タスクの前記識別子に対応する測定オブジェクトによって示される単一周波数または周波数群上のセルの測定を継続するステップと、
前記判定結果として、前記測定タスクの前記識別子の前記レポートタイプが周期トリガ報告であり、かつ、前記ユーザ端末が、前記レポート計数値が前記所定の最大レポート回数以上である前記測定タスクの前記識別子に対応する測定レポートを見つけた場合、前記測定タスクの前記レポートステータスとして前記測定タスクが終了している、又は、報告されなくなったと判定し、前記ユーザ端末が、前記測定タスクの前記識別子に対応する前記測定オブジェクトによって示される前記単一周波数または周波数群上の前記セルの測定を中止するステップと、
前記測定レポートリストの前記測定タスクの前記識別子に対応する前記測定レポートを常に記憶するステップとをさらに含む
測定実施方法。
【請求項７】
請求項６に記載の測定実施方法であって、
前記測定レポートを常に記憶する前記ステップは、前記測定タスクの前記レポートステータスとして前記測定タスクが終了している、又は、報告されなくなった場合でも、前記ユーザ端末が測定再構成処理、ハンドオーバ処理または接続再確立処理にかけられない限り、前記測定レポートリストの前記測定タスクの前記識別子に対応する前記測定レポートを常に記憶するステップをさらに含む
測定実施方法。
【請求項８】
請求項１、５又は７に記載の測定実施方法であって、
周期的な測定レポートの報告が前記測定タスクの前記識別子によってトリガされ、前記測定レポートのレポート計数値が前記所定の最大レポート回数以上になった後、前記周期トリガ報告に関係付けられている前記測定タスクの前記識別子に対応する前記測定オブジェクトによって示される前記単一周波数または周波数群上の前記セルに対する測定を終了するステップをさらに含む
測定実施方法。
【請求項９】
測定タスクのレポートステータスを検出する検出部と、
前記検出部が測定タスクのレポートステータスとして前記測定タスクが終了している、又は、報告されなくなったことを検出した場合、前記測定タスクに対してユーザ端末によって実行されている測定を中止し、前記検出部が前記測定タスクの前記レポートステータスとして前記測定タスクが終了していない、又は、報告され続けていることを検出した場合、前記ユーザ端末が前記測定タスクの測定を継続することができるようにする測定ストラテジ処理部とを具備し、
前記測定ストラテジ処理部が、
ＲＵＮＮＩＮＧである、前記測定タスクの前記レポートステータスを特定する、前記測定タスクの識別子に対応するステータスを始めに設定するステップと、
前記測定タスクの前記特定されたレポートステータスに従って、前記測定タスクのレポートステータスとして前記測定タスクが終了していない、又は、報告され続けていることが検出された場合、前記ユーザ端末が、前記測定タスクの前記識別子に対応する測定オブジェクトによって示される単一周波数または周波数群上のセルの測定を継続するステップと、
前記測定タスクの前記識別子に対応するレポートタイプが周期トリガ報告であると判定するステップと、
レポート計数値が所定の最大レポート回数以上である場合、前記測定タスクの前記特定されたレポートステータスを更新してＦＩＮＩＳＨにするステップと、
前記測定タスクの前記特定されて更新されたレポートステータスに従って、前記測定タスクの前記レポートステータスとして前記測定タスクが終了しているか、または、前記測定タスクが引き続き報告されなくなったことが検出された場合、前記ユーザ端末が、前記測定タスクに対応する前記測定オブジェクトによって示される前記単一周波数または周波数群上の前記セルの測定を中止するステップとを含む処理を実行する
測定実施システム。
【発明の詳細な説明】
【技術分野】
【０００１】
本発明は、測定技術、特に、最適化された測定実施方法および測定実施システムに関する。
【背景技術】
【０００２】
セル再選択およびセルハンドオーバは、移動通信システムの重要な機能である。セルを円滑に再選択するために、ユーザ端末（ＵＥ：User Terminal）は、適切なセルを選択して利用するために異なる複数のセルの信号品質を測定する必要がある。移動性に対する要件から、ユーザ端末は、或るセルにおいてネットワークに接続された後も、適切なセルを選択して切り替えるために隣接セルの信号品質を測定する必要がある。測定の際、接続状態にあるネットワーク側からユーザ端末に測定制御メッセージが送信され、ユーザ端末は、測定制御メッセージの内容に従って測定レポートを送信する必要がある。ここで、測定制御メッセージの内容には、測定オブジェクト（Measurement Object）と、測定レポート構成情報（レポート構成（Report Configuration））と、測定ＩＤ（Measurement ID）、測定閾値（Ｓ値（s-Measure））と、測定品質構成と、測定間隔構成とが含まれる。測定オブジェクトは、単一周波数、周波数群、または１つまたは複数の周波数上のセル群であり得る。レポート構成は、測定レポートの属性、例えば、各レポートタイプに対応する構成とともにイベントトリガ報告または周期トリガ報告を構成する。測定ＩＤは、具体的な測定タスクに対応し、１つの測定オブジェクトを１つのレポート構成に関係付ける識別子である。Ｓ値は、ユーザ端末が利用中のセルの信号品質の測定閾値である。測定品質構成は、具体的な測定品質を示す。測定間隔構成は、異なる周波数の測定等の構成情報のために用いられる。
【０００３】
なお、測定に関与する測定タスクは、測定ＩＤに対応する測定オブジェクトおよびレポート構成によって構成される測定タスクとして説明することができる。例えば、測定ＩＤ１に対応する測定オブジェクトは周波数Ａであり、対応のレポート構成は、Ｓ値を超える信号品質を有する周波数Ａ上のセルが存在する場合、測定報告がイベントによってトリガされて測定タスクが実行されるというものである。測定ＩＤが、構成された測定タスクを特定することで、ユーザ端末が、構成された測定ＩＤの数を算出することによって、構成された測定タスクの数を知ることができ、測定タスクの属性、例えば、測定オブジェクト（周波数Ａまたは周波数Ｂ）および測定レポートタイプ（周期トリガ報告またはイベントトリガ報告）を、測定ＩＤに対応する測定オブジェクトおよびレポート構成を通じて取得することができる。測定制御メッセージを受信した後、ユーザ端末は、当該測定に関係付けられている構成内容を、それ自体の変数に、例えば、構成された測定オブジェクトリスト、レポート構成リストおよび測定ＩＤリストならびにＳ値、測定品質構成および測定間隔等を含む、測定に関する構成内容を記憶するための変数ＶａｒＭｅａｓＣｏｎｆｉｇに記憶する。
【０００４】
第３世代移動通信のロングタームエボリューション（ＬＴＥ）システムでは、ユーザ端末は、以下の測定基準に従って測定を実行することができる。
【０００５】
構成された測定ＩＤ（すなわち、測定構成変数に記憶された測定ＩＤ）毎に、測定間隔が、測定ＩＤに対応する測定オブジェクトによって必要とされて当該測定オブジェクトに関して構成され、ユーザ端末が利用中のセルの測定信号品質の値が、構成されたＳ値未満かまたはＳ値が構成されていないという測定の必要条件が満たされている場合、ユーザ端末は、測定ＩＤに対応する測定オブジェクトに対して測定を実行する。
【０００６】
つまり、必要条件が満たされており、利用中のセルの無線通信品質が十分に良好である、すなわち、ユーザ端末が利用中のセルの測定信号品質の値がＳ値を超える場合、ユーザ端末は測定を実行しない。これによって、ユーザ端末の測定回数が低減する。また、異なる周波数の測定オブジェクトの測定に特殊な測定間隔が必要であるが、測定間隔が空けられていない場合、ユーザ端末は測定オブジェクトの測定を実行しないが、他の測定ＩＤに対しては常に測定を実行する。
【０００７】
測定報告は、イベントトリガ報告および周期トリガ報告に分類される。測定報告は、次の条件が満たされる場合にイベントによってトリガされる：まず、測定ＩＤに対応する測定オブジェクトの測定信号品質が測定され、測定オブジェクトの測定信号品質がイベントトリガ報告の条件を満たす場合のみ測定がトリガされる。例えば、イベントトリガ報告の条件は、隣接セルの測定された無線信号品質が、ユーザ端末が利用中のセルの無線信号品質よりも３ｄｂ高い場合にイベントがトリガされるというものである。報告は、一回のみまたは所与の時間間隔で複数回実行される。図１は、イベントによってトリガされる測定報告を示す概略図である。図１に示されるように、ネットワーク側から測定制御メッセージを受信し、イベントがトリガされた後、ユーザ端末は、イベントトリガ報告方式でかつ一定の報告間隔で、複数回測定レポートを送信する。周期トリガ報告では、一定のレポート回数が取得されると測定報告が開始され、一定のレポート間隔で実行される。この場合、イベントトリガ報告との状況の違いは、イベントトリガ報告の条件を満たすことなく報告が開始されることにある。図２は、周期的にトリガされる測定報告を示す概略図である。図２に示されるように、ネットワーク側から測定制御メッセージを受信した後、ユーザ端末は、周期トリガ報告方式でかつ一定のレポート間隔で複数回測定レポートを送信する。ネットワーク資源を節約するために、周期トリガ報告のレポート回数は、最大レポート回数を設定することによって限定することが可能である。すなわち、周期的な測定がユーザ端末用のネットワークによって構成され、測定タスクの報告が開始される度に、ユーザ端末が、それ自体の測定レポートリスト変数にノード測定レポートＶａｒＭｅａｓＲｅｐｏｒｔ、例えば、ＶａｒＭｅａｓＲｅｐｏｒｔＬｉｓｔを作成する。リストまたはアレイの形態で提示される測定レポートリスト変数は、測定ＩＤと、測定ＩＤに対応するレポート計数値とを記憶するためだけに用いられ、測定レポートリスト変数の各ノード測定レポート、すなわち、ＶａｒＭｅａｓＲｅｐｏｒｔが測定ＩＤをそのキーワードとして用いる。現在の測定タスクのレポート計数値が、各測定レポートノードに記憶される。このレポート計数値は、報告が実行される度に１だけ増加される。そして、レポート計数値が所与のレポート回数に達すると、すなわち、蓄積されたレポート計数値が所定の最大レポート回数と等しくなると、報告は終了される。測定ＩＤをそのキーワードとする測定レポートリスト変数の測定レポートノードは、測定ＩＤまたは測定ＩＤに対応する測定オブジェクトもしくはレポート構成が再構成されるときに削除される。ハンドオーバまたは再確立が行われるときに測定レポートリスト変数の全てのノードが削除される。
【０００８】
従来技術には、測定レポートの報告の終了後でも既存の測定基準に基づいてユーザ端末が、測定ＩＤに対応する測定オブジェクトの測定を継続し、また、ユーザ端末が測定中に常に給電されるためにユーザ端末の電力消費量および他の資源消費量が増加してしまうという不利点がある。現時点で、この問題を解消するための有効な解決策は提案されていない。
【発明の概要】
【発明が解決しようとする課題】
【０００９】
以上の状況に鑑みて、本発明は主に、ユーザ端末に不要な測定をさせないようにすることで、電力消費量および他の資源消費量を低減することができる測定実施方法および測定実施システムを提供することを目的とする。
【課題を解決するための手段】
【００１０】
上記目的を達成するため、本発明の技術的なスキームを以下のように実現する。
【００１１】
測定タスクの上記レポートステータスを検出し、現在の上記測定タスクが終了している、又は、報告されなくなった場合、ユーザ端末が上記現在の測定タスクの測定を中止し、上記現在の測定タスクが終了していない、又は、報告され続けている場合、上記ユーザ端末が上記現在の測定タスクの測定を継続する測定実施方法が提供される。
【００１２】
上記測定タスクの測定オブジェクトは、上記測定タスクに対応する単一周波数または周波数群上のセルであってもよい。
【００１３】
終了していない、又は、報告され続けている上記測定タスクは、検出する必要はないが、常に測定されてもよい。
【００１４】
上記測定タスクは、イベントトリガ報告方式で報告される測定タスクであってもよい。
【００１５】
上記測定実施方法は、ＲＵＮＮＩＮＧである、上記測定タスクの上記レポートステータスを特定する、上記現在の測定タスクの識別子に対応するステータスを始めに設定するステップと、上記測定タスクの上記特定されたレポートステータスに従って、上記現在の測定タスクのレポートステータスとして上記現在の測定タスクが終了していない、又は、報告され続けていることが検出された場合、上記ユーザ端末は、上記現在の測定タスクの上記識別子に対応する測定オブジェクトによって示される単一周波数または周波数群上のセルの測定を継続するステップと、上記現在の測定タスクの上記識別子に対応するレポートタイプが周期トリガ報告であると判定するステップと、レポート計数値が所定の最大レポート回数以上である場合、上記測定タスクの上記特定されたレポートステータスを更新してＦＩＮＩＳＨにするステップと、上記測定タスクの上記特定されて更新されたレポートステータスに従って、上記現在の測定タスクの上記レポートステータスとして上記現在の測定タスクが終了している、又は、報告されなくなったことが検出された場合、上記ユーザ端末が、上記現在の測定タスクに対応する上記測定オブジェクトによって示される上記単一周波数または周波数群上の上記セルの測定を中止するステップとをさらに含んでもよい。
【００１６】
上記ユーザ端末が初期測定構成処理、測定再構成処理、ハンドオーバ処理または接続再確立処理にかけられる場合、ＲＵＮＮＩＮＧである、上記測定タスクの上記レポートステータスを特定する、各測定タスクに対応する各識別子のステータスが始めに設定されてもよく、上記現在の測定タスクが終了した場合、上記現在の測定タスクの上記現在の識別子に対応する上記ステータスによって特定される上記測定タスクの上記レポートステータスが更新されてＦＩＮＩＳＨになってもよい。
【００１７】
上記測定実施方法は、測定レポートリストの上記現在の測定タスクの識別子に対応する測定レポートに対する判定結果に従って上記現在の測定タスクの上記レポートステータスを検出するステップと、現在の上記判定結果として、上記ユーザ端末が、上記現在の測定タスクの上記識別子に対応する測定レポートを見つけていないか、または、上記現在の測定タスクの上記識別子のレポートタイプがイベントトリガ報告であるかまたは上記現在の測定タスクの上記識別子の上記レポートタイプが周期トリガ報告であり、かつ、上記ユーザ端末が、レポート計数値が所定の最大レポート回数未満である上記現在の測定の上記識別子に対応する測定レポートを見つけた場合、上記現在の測定タスクの上記レポートステータスとして上記現在の測定タスクが終了していない、又は、報告され続けていると判定し、上記ユーザ端末が、上記現在の測定タスクの上記識別子に対応する測定オブジェクトによって示される単一周波数または周波数群上のセルの測定を継続するステップと、上記現在の判定結果として、上記現在の測定タスクの上記識別子の上記レポートタイプが周期トリガ報告であり、かつ、上記ユーザ端末が、上記レポート計数値が上記所定の最大レポート回数以上である上記現在の測定タスクの上記識別子に対応する測定レポートを見つけた場合、上記現在の測定タスクの上記レポートステータスとして上記現在の測定タスクが終了している、又は、報告されなくなったと判定し、上記ユーザ端末が、上記現在の測定タスクの上記識別子に対応する上記測定オブジェクトによって示される上記単一周波数または周波数群上の上記セルの測定を中止するステップと、上記測定レポートリストの上記現在の測定タスクの上記識別子に対応する上記測定レポートを常に記憶するステップとをさらに含んでもよい。
【００１８】
上記測定レポートを常に記憶する上記ステップは、上記測定タスクの上記レポートステータスとして上記測定タスクが終了している、又は、報告されなくなった場合でも、上記ユーザ端末が測定再構成処理、ハンドオーバ処理または接続再確立処理にかけられない限り、上記測定レポートリストの上記現在の測定タスクの上記識別子に対応する上記測定レポートを常に記憶するステップをさらに含んでもよい。
【００１９】
上記測定実施方法は、周期的な測定レポートの報告が上記測定タスクの上記識別子によってトリガされ、上記測定レポートのレポート計数値が上記所定の最大レポート回数以上になった後、上記周期トリガ報告に関係付けられている上記測定タスクの上記識別子に対応する上記測定オブジェクトによって示される上記単一周波数または周波数群上の上記セルに対する測定を終了するステップをさらに含んでもよい。
【００２０】
測定タスクのレポートステータスを検出する検出部と、上記検出部が現在の測定タスクのレポートステータスとして上記現在の測定タスクが終了している、又は、報告されなくなったことを検出した場合、上記現在の測定タスクに対してユーザ端末によって実行されている測定を中止し、上記検出部が上記現在の測定タスクの上記レポートステータスとして上記現在の測定タスクが終了していない、又は、報告され続けていることを検出した場合、上記ユーザ端末が上記現在の測定タスクの測定を継続することができるようにする測定ストラテジ処理部とを具備する測定実施システムが提供される。
【００２１】
測定タスクのレポートステータスがＵＮＦＩＮＩＳＨからＦＩＮＩＳＨに変更された後に、ユーザ端末によって測定タスクを削除する測定実施方法が提供される。
【００２２】
上記測定タスクを削除する上記ステップは、変数ＶａｒＭｅａｓｕｒｅｍｅｎｔＣｏｎｆｉｇｕｒａｔｉｏｎから上記測定タスクの測定ＩＤを削除するステップをさらに含んでもよい。
【００２３】
上記測定実施方法は、周期的な測定レポートが、周期トリガ報告に関係付けられる上記測定ＩＤによってトリガされ、上記測定レポートのレポート計数値が所定の最大レポート回数未満である場合、上記測定タスクの上記レポートステータスをＵＮＦＩＮＩＳＨに設定するステップと、上記測定レポートの上記レポート計数値が上記所定の最大レポート回数以上である場合、上記測定タスクの上記レポートステータスをＦＩＮＩＳＨに設定し、上記関係付けられている測定ＩＤに対応する測定オブジェクトによって示される単一周波数または周波数群上のセルに対する測定を終了するステップとをさらに含んでもよい。
【００２４】
上記測定実施方法は、上記ユーザ端末がハンドオーバ処理または再確立処理にかけられる場合、上記周期トリガ方式で報告された測定タスクに対応する上記測定ＩＤを削除するステップをさらに含んでもよい。
【００２５】
測定タスクのレポートステータスがＵＮＦＩＮＩＳＨからＦＩＮＩＳＨに変更された後、上記測定タスクを削除する、ユーザ端末用の削除部を具備する測定実施システムが提供される。
【００２６】
上記削除部はさらに、変数ＶａｒＭｅａｓｕｒｅｍｅｎｔＣｏｎｆｉｇｕｒａｔｉｏｎから上記測定タスクの測定ＩＤを削除してもよい。
【発明の効果】
【００２７】
本発明では、現在の測定タスクの現在のレポートステータスを検出するためにレポートステータスが測定タスクに関係付けられ、ユーザ端末が対応の測定ストラテジを用いて現在の測定タスクの測定オブジェクトを処理する。詳細には、現在の測定タスクのレポートステータスとして上記現在の測定タスクが終了している、又は、報告されなくなったことが検出された場合、ユーザ端末は現在の測定タスクの測定を中止し、現在の測定タスクのレポートステータスとして現在の測定タスクが終了していない、又は、報告され続けていることが検出された場合、ユーザ端末は現在の測定タスクの測定を継続する。
【００２８】
周期トリガ報告の測定タスクに関して、レポート計数値が所与の値に達した後は、測定ＩＤに対応する測定オブジェクトによって示される単一周波数または周波数群上のセルをユーザ端末が測定することが不要になるため、ユーザ端末は、測定ＩＤの測定レポートの、ネットワーク側への報告を中止する。従来技術では、既存の測定基準に基づく測定において、測定を最終的に報告することができるかどうかは考慮されない。例えば、周期トリガ報告方式で報告される測定レポートの終了後であっても、ユーザ端末は、測定ＩＤに対応する測定オブジェクトによって示される単一周波数または周波数群上のセルに対して不要な測定を継続することになり、ユーザ端末の不要なエネルギー消費が増す。しかし、本発明では、レポートステータスが測定タスクに関係付けられることで、複数の異なる測定ストラテジを用いて測定タスクの測定オブジェクトが処理される。例えば、現在のレポートステータスとして現在の測定タスクが終了している、又は、報告されなくなった場合、ユーザ端末によって現在の測定タスクの測定オブジェクトに対して実行されている測定を停止するという対応の測定ストラテジが採用される。本発明を採用することによって、測定タスクの報告が不要になった場合にユーザ端末が不要な測定を実施することが防止される。したがって、ユーザ端末の測定上の負担が軽減される。
【図面の簡単な説明】
【００２９】
【図１】イベントによってトリガされる測定報告を示す概略図である。
【図２】周期的にトリガされる測定報告を示す概略図である。
【図３】本発明の一実施形態による測定実施方法のフローチャートである。
【発明を実施するための形態】
【００３０】
本発明の基本的な着想は、次のようなものである：現在の測定タスクの現在のレポートステータスを検出するためにレポートステータスを測定タスクに関係付け、ユーザ端末が対応の測定ストラテジを用いて現在の測定タスクの測定オブジェクトを処理する。対応の測定ストラテジは、ユーザ端末が、現在のレポートステータスとして現在の測定タスクが終了している、又は、報告されなくなった場合、現在の測定タスクの測定を中止し、現在のレポートステータスとして現在の測定タスクが終了していない、又は、報告され続けている場合、現在の測定タスクの測定を継続するというものである。
【００３１】
技術的なスキームの実施態様を、添付の図面を参照しながら以下に詳述する。
【００３２】
本発明は、２つの解決策を提供する。１つ目の解決策は、詳細には、２通りに実施される。本発明の１つ目の解決策に関して、図３は、本発明の一実施形態による測定実施方法のフローチャートである。図３に示されるように、測定実施方法は、以下のステップを含む。
【００３３】
ステップ１０１：ユーザ端末が現在の測定タスクの現在のレポートステータスを検出する。
【００３４】
ステップ１０２：レポートステータスとして現在の測定タスクが終了している、又は、報告されなくなった場合、ユーザ端末が現在の測定タスクの測定を中止する。
【００３５】
ここで、ステップ１０２は、レポートステータスとして現在の測定タスクが終了していない、又は、報告され続けている場合、ユーザ端末は現在の測定タスクの測定を継続するステップ１０２ａである場合がある。
【００３６】
ここで、測定タスクの測定オブジェクトは、測定タスクに対応する測定オブジェクトによって示される単一周波数または周波数群上のセルである。
【００３７】
ここで、引き続き報告される、又は、終了していない測定タスクは、検出する必要はないが、常に測定される。測定タスクは、イベントトリガ報告方式で報告される測定タスクであり得る。
【００３８】
ここで、ステップ１０１〜１０２を含む測定実施方法の場合、つまり、現在の測定タスクのレポートステータスとして現在の測定タスクが終了している、又は、報告されなくなったことが検出された場合、次の測定ストラテジが採用される：ユーザ端末が、現在のレポートステータスに対応する測定タスクの測定オブジェクトによって示される単一周波数または周波数群上のセルの測定を中止する。ステップ１０１〜１０２ａを含む測定実施方法の場合、つまり、現在の測定タスクのレポートステータスとして現在の測定タスクが終了しない、又は、報告され続けていることが検出された場合、次の測定ストラテジが採用される：ユーザ端末が、現在のレポートステータスに対応する測定タスクの測定オブジェクトによって示される単一周波数または周波数群上のセルの測定を継続する。以下に、いくつかの異なるケースにおける測定実施方法の具体的な処理を詳述する。
【００３９】
第１のケースでは、測定実施方法の具体的な処理は、以下のステップを含む。
【００４０】
ステップ２０１：現在の測定タスクの測定ＩＤに対応する変数ＳＴＡＴＵＳが初期設定される。変数ＳＴＡＴＵＳは、レポートステータス識別子とも称される。変数ＳＴＡＴＵＳによって特定される測定タスクのレポートステータスはＲＵＮＮＩＮＧである。すなわち、ＳＴＡＴＵＳ＝ＲＵＮＮＩＮＧである。現在の測定タスクのレポートステータスが、変数ＳＴＡＴＵＳによって特定される測定タスクのレポートステータスに従って検出される。ユーザ端末が対応の測定ストラテジを用いて現在の測定タスクの測定オブジェクトを処理する。
【００４１】
ステップ２０２：現在の測定ＩＤに対応するレポートタイプが周期トリガ報告であると判定され、かつレポート計数値が所定の最大レポート回数以上であると判定された場合、変数ＳＴＡＴＵＳによって特定される測定タスクのレポートステータスを更新してＦＩＮＩＳＨにする。すなわち、設定を更新してＳＴＡＴＵＳ＝ＦＩＮＩＳＨにする。現在の測定タスクのレポートステータスは、更新された変数ＳＴＡＴＵＳによって特定される測定タスクのレポートステータスに従って検出される。ユーザ端末が対応の測定ストラテジを用いて現在の測定タスクの測定オブジェクトを処理する。
【００４２】
ここで、対応の測定タスクの測定オブジェクトは詳細には、現在の測定ＩＤに対応する測定オブジェクトによって示される単一周波数または周波数群上のセルを指す。ステップ２０１では、変数ＳＴＡＴＵＳによって特定された測定タスクのレポートステータスに従って検出された現在の測定タスクのレポートステータスとして現在の測定タスクが終了していない、又は、報告され続けている場合、対応の測定ストラテジは、ユーザ端末が、現在の測定ＩＤに対応する測定オブジェクトによって示される単一周波数または周波数群上のセルの測定を継続するというものになる。ステップ２０２では、更新された変数ＳＴＡＴＵＳによって特定される測定タスクのレポートステータスに従って検出された現在の測定タスクのレポートステータスとして現在の測定タスクが終了している、又は、報告されなくなった場合、対応の測定ストラテジは、ユーザ端末が、現在の測定ＩＤに対応する測定オブジェクトによって示される単一周波数または周波数群上のセルの測定を中止するというものになる。
【００４３】
さらに、各測定タスクに対応する各測定ＩＤに関して、ユーザ端末が初期測定構成処理、測定再構成処理、ハンドオーバ処理または接続再確立処理にかけられる場合、ＳＴＡＴＵＳ＝ＲＵＮＮＩＮＧが初期設定される。現在の測定タスクが終了したときに、現在の測定タスクに対応する現在の測定ＩＤに対応する変数ＳＴＡＴＵＳを更新し、ＳＴＡＴＵＳ＝ＦＩＮＩＳＨに設定する。
【００４４】
なお、測定実施スキームの具体的な処理は、周期的な測定レポートの報告が測定ＩＤによってトリガされ、レポート計数値が所定の最大レポート回数以上になった後に、周期トリガ報告に関係付けられている測定ＩＤに対応する測定オブジェクトによって示される単一周波数または周波数群上のセルに対する測定を終了することをさらに含む。
【００４５】
第２のケースでは、測定実施方法の具体的な処理は以下のステップを含む。
【００４６】
ステップ３０１：変数ＶａｒＭｅａｓｕｒｅｍｅｎｔＲｅｐｏｒｔｓの現在の測定ＩＤに対応するノードに対する関連の判定結果に従って、現在の測定タスクのレポートステータスを検出する。ユーザ端末が対応の測定ストラテジを用いて現在の測定タスクの測定オブジェクトを処理する。
【００４７】
ここで、対応の測定タスクの測定オブジェクトは、現在の測定ＩＤに対応する測定オブジェクトによって示される単一周波数または周波数群上のセルを指す。詳細には、ステップ３０１は、次の処理を含む：現在の判定結果として、ユーザ端末が、現在の測定ＩＤに対応するノードを見つけていないか、または、現在の測定ＩＤのレポートタイプがイベントトリガ報告であるかまたは現在の測定ＩＤのレポートタイプが周期トリガ報告であり、かつユーザ端末が、レポート計数値が所定の最大レポート回数未満である現在の測定ＩＤに対応するノードを見つけた場合、つまり、現在の測定タスクのレポートステータスとして現在の測定タスクが終了していない、又は、報告され続けている場合、対応の測定ストラテジは、ユーザ端末が、現在の測定ＩＤに対応する測定オブジェクトによって示される単一周波数または周波数群上のセルの測定を継続するというものになる。また、現在の判定結果として、現在の測定ＩＤのレポートタイプが周期トリガ報告であり、かつユーザ端末が、レポート計数値が所定の最大レポート回数以上である現在の測定ＩＤに対応するノードを見つけている場合、つまり、現在の測定タスクのレポートステータスとして現在の測定タスクが終了している、又は、報告されなくなった場合、対応の測定ストラテジは、ユーザ端末が、現在の測定ＩＤに対応する測定オブジェクトによって示される単一周波数または周波数群上のセルの測定を中止するというものになる。
【００４８】
ステップ３０２：変数ＶａｒＭｅａｓｕｒｅｍｅｎｔＲｅｐｏｒｔｓの現在の測定ＩＤに対応するノードを常に記憶する。
【００４９】
ここで、ステップ３０２は、ユーザ端末が測定再構成処理、ハンドオーバ処理または接続再確立処理にかけられない限り、測定タスクが終了している、又は、報告されなくなった後であっても、変数ＶａｒＭｅａｓｕｒｅｍｅｎｔＲｅｐｏｒｔｓの現在の測定ＩＤに対応するノードを記憶し続けることをさらに含む。
【００５０】
なお、測定実施スキームの具体的な処理は、周期的な測定レポートの報告が測定ＩＤによってトリガされ、レポート計数値が所定の最大レポート回数以上になった後に、周期トリガ報告に関係付けられている測定ＩＤに対応する測定オブジェクトによって示される単一周波数または周波数群上のセルに対する測定を終了することをさらに含む。
【００５１】
測定実施システムは、検出部と、測定ストラテジ処理部とを有する。検出部は、測定タスクのレポートステータスを検出する。測定ストラテジ処理部は、検出部が現在の測定タスクのレポートステータスとして現在の測定タスクが終了している、又は、報告されなくなったことを検出した場合、現在の測定タスク上のユーザ端末によって実行されている測定を中止し、検出部が現在の測定タスクのレポートステータスとして現在の測定タスクが終了していない、又は、報告され続けていることを検出した場合、ユーザ端末が現在の測定タスクの測定を継続することを可能にする。
【００５２】
本発明の２つ目の解決策に関して、測定実施方法は、測定タスクのレポートステータスがＵＮＦＩＮＩＳＨからＦＩＮＩＳＨに変更された後にユーザ端末が測定タスクを削除することを含む。詳細には、具体的な処理は、以下のステップを含む。
【００５３】
ステップ４０１：ユーザ端末が、変数ＶａｒＭｅａｓｕｒｅｍｅｎｔＣｏｎｆｉｇｕｒａｔｉｏｎの各測定ＩＤに対応する各測定オブジェクトを測定する。
【００５４】
ステップ４０２：測定タスクのレポートステータスがＵＮＦＩＮＩＳＨからＦＩＮＩＳＨに変更された場合、ユーザ端末が、変数ＶａｒＭｅａｓｕｒｅｍｅｎｔＣｏｎｆｉｇｕｒａｔｉｏｎの測定タスクの測定ＩＤを削除する。
【００５５】
ここで、測定実施方法の具体的な処理は、周期的な測定レポートの報告が、周期トリガ報告に関係付けられている測定ＩＤによってトリガされ、レポート計数値が所定の最大レポート回数未満である場合、測定タスクのレポートステータスをＵＮＦＩＮＩＳＨに設定すること、およびレポート計数値が所定の最大レポート回数以上である場合、測定タスクのレポートステータスをＦＩＮＩＳＨに設定し、測定ＩＤに対応する測定オブジェクトによって示される単一周波数または周波数群上のセルに対する測定を終了することをさらに含む。
【００５６】
ここで、測定実施方法は、ユーザ端末がハンドオーバ処理または再確立処理にかけられる場合、周期トリガ報告方式で報告された測定タスクに対応する測定ＩＤを削除することをさらに含む。
【００５７】
測定実施システムは、測定タスクのレポートステータスがＵＮＦＩＮＩＳＨからＦＩＮＩＳＨに変更された後、ユーザ端末によって実行された測定タスクを削除する削除部を有する。
【００５８】
ここで、削除部はさらに、変数ＶａｒＭｅａｓｕｒｅｍｅｎｔＣｏｎｆｉｇｕｒａｔｉｏｎの測定タスクの測定ＩＤを削除する。
【００５９】
以下に記載する３つの例は、次の構成に基づく：ＬＴＥシステムにおいて、ユーザ端末が、利用中のセルＳ１の周波数Ａ上にあり、利用中のセルＳ１の測定信号品質の値がＳＡであり、ユーザ端末が接続状態に置かれると、ネットワーク側から測定制御メッセージがユーザ端末に送信される。測定制御メッセージは、周波数Ａ上のＬＴＥセルに設定される測定オブジェクト１と、隣接セルの信号品質が、ユーザ端末が利用中のセルの信号品質よりも２ｄｂだけ高い場合、イベントによってトリガされるイベントトリガ報告に設定されるレポート構成１と、測定オブジェクト１およびレポート構成１に対応する測定ＩＤ１と、周波数Ｂ上のＬＴＥセルである測定オブジェクト２と、ｒｅｐｏｒｔＳｔｒｏｎｇｅｓｔＣｅｌｌｓタイプの周期トリガ報告に設定されるレポート構成２（すなわち、測定オブジェクト２において最良の測定信号品質を有するセルが報告される）と、最大レポート回数およびレポート間隔と、測定オブジェクト２およびレポート構成２に対応する測定ＩＤ２と、Ｓ値に設定される測定閾値と、測定間隔とが含まれる。次に、例１〜３を詳述する。
【００６０】
例１：変数ＶａｒＭｅａｓｕｒｅｍｅｎｔＲｅｐｏｒｔｓに加えて、変数ＳＴＡＴＵＳを用いて測定タスクのレポートステータスを特定することで、変数ＳＴＡＴＵＳによって特定される測定タスクのレポートステータスに基づくレポートステータス検出を容易にする。これによって、変数ＳＴＡＴＵＳによって特定される測定タスクのレポートステータスに基づいて現在のレポートステータスを検出することができる。また、ユーザ端末が対応の測定ストラテジを用いて現在のレポートステータスに対応する測定タスクの測定オブジェクトを処理することができる。２つの測定ストラテジが提供される。１つ目の測定ストラテジは、現在の測定タスクのレポートステータスとして現在の測定タスクが終了している、又は、報告されなくなった場合、ユーザ端末が、現在の測定タスクの測定オブジェクトの測定を中止するというものであり、２つ目の測定ストラテジは、現在の測定タスクのレポートステータスとして測定タスクが終了していない、又は、報告され続けている場合、ユーザ端末が、現在の測定タスクの測定オブジェクトの測定を継続するというものである。
【００６１】
なお、変数ＶａｒＭｅａｓｕｒｅｍｅｎｔＲｅｐｏｒｔｓは、リストの形態で提示することができる。当該リストは、測定ＩＤと、現在の測定タスクのレポート計数値との指標関係を示し、測定ＩＤをその指標キーワードとして用いる。また、当該リストには、測定ＩＤと、対応のレポート計数値とが含まれる。変数ＶａｒＭｅａｓｕｒｅｍｅｎｔＲｅｐｏｒｔｓがアレイの形態で提示される場合、当該アレイのアレイデータは、アレイキーワードとして用いられる測定ＩＤと、測定ＩＤに対応するレポート計数値とを含む。
【００６２】
この例では、測定ＩＤ２は周期トリガ報告に関係付けられるため、一定のレポート期間が終了した後、周期トリガ報告に関する明確なステータスＦＩＮＩＳＨが存在する。ユーザ端末は、周期トリガ報告に関係付けられている測定ＩＤ２の変数ＳＴＡＴＵＳをＲＵＮＮＩＮＧに初期設定する。他方、測定ＩＤ１はイベントトリガ報告に関係付けられる、すなわち、イベントによってトリガされるため、イベントトリガ報告に関する明確なステータスＦＩＮＩＳＨは存在しない。ユーザ端末は、測定ＩＤ１の変数ＳＴＡＴＵＳをＲＵＮＮＩＮＧに初期設定してもよいし、または、イベントトリガ報告のレポートステータスに対するチェックを測定中に実行しないことを明示するのみで設定は行わなくてもよい。
【００６３】
詳細には、ユーザ端末が測定を実行するとき、変数ＶａｒＭｅａｓｕｒｅｍｅｎｔＲｅｐｏｒｔｓの全ての測定ＩＤが確認される（traversed）。測定ＩＤ１に関して、ユーザ端末は、ＳＡ＜Ｓ値であるかまたはＳ値が構成されていない場合、周波数Ａ上の全てのＬＴＥセルを測定する。測定ＩＤ２に関して、ユーザ端末は、ＳＡ＜Ｓ値であるかまたはＳ値の代わりに測定間隔が構成されている場合、周波数Ｂ上の全てのＬＴＥセルを測定する。このことから、測定の必要条件が満たされている限り、つまり、ユーザ端末が利用中のセルのＳＡが構成されたＳ値未満であるかまたはＳ値が構成されていない限り、ユーザ端末は、測定ＩＤに対応する測定オブジェクトを測定することが分かる。
【００６４】
周期トリガ報告に関係付けられる測定ＩＤ２の場合、測定実施方法は、以下のステップを含む。
【００６５】
ステップ５０１：測定ＩＤ２に対応する変数ＳＴＡＴＵＳによって特定される測定タスクのレポートステータスがＲＵＮＮＩＮＧに初期設定される。現在の測定タスクのレポートステータスが、測定タスクの特定されたレポートステータスに従って検出される。そして、ユーザ端末が対応の測定ストラテジを用いて現在の測定タスクの測定オブジェクトを処理する。
【００６６】
ここで、測定ＩＤが測定タスクに対応し、対応の測定タスクの測定オブジェクトは、測定ＩＤ２に対応する測定オブジェクト２である。
【００６７】
ここで、設定を始めにＳＴＡＴＵＳ＝ＲＵＮＮＩＮＧにする。すなわち、変数ＳＴＡＴＵＳによって特定される測定タスクのレポートステータスがＲＵＮＮＩＮＧになり、現在の測定タスクが実行中でまだ終了していないことが示される。次いで、測定タスクの特定されたレポートステータスに基づき、現在の測定タスクのレポートステータスとして現在の測定タスクが終了していない、又は、報告され続けていることが検出される。そして、対応の測定ストラテジが、ユーザ端末が、測定ＩＤ２に関係付けられている測定オブジェクト２、すなわち、周波数Ｂ上のセルの測定を継続するというものになる。周波数Ｂ上のセルを検出した後、ユーザ端末は、最大〜最小の測定値に従って、最良の無線通信品質を有するセルをｅＮＢ（Evolved Node B）に報告する。
【００６８】
さらに、ユーザ端末が測定タスクを実行しており、報告が終了する度に、変数ＶａｒＭｅａｓｕｒｅｍｅｎｔＲｅｐｏｒｔｓの測定ＩＤ２に対応するレポート計数値を１だけ増加させる。
【００６９】
ステップ５０２：測定ＩＤ２に対応するレポート計数値が所定の最大レポート回数に等しいと判定された場合、変数ＳＴＡＴＵＳによって特定される測定タスクのレポートステータスを更新してＦＩＮＩＳＨにし、更新された変数ＳＴＡＴＵＳによって特定される測定タスクのレポートステータスに従って現在の測定タスクのレポートステータスを検出し、ユーザ端末が対応の測定ストラテジを用いて現在の測定タスクの測定オブジェクトを処理する。
【００７０】
ここで、レポート計数値が所定の最大レポート回数以上である場合、測定ＩＤ２を更新してＳＴＡＴＵＳ＝ＦＩＮＩＳＨに設定する。すなわち、変数ＳＴＡＴＵＳによって特定される測定タスクのレポートステータスをＦＩＮＩＳＨに更新することで、現在の測定タスクの完了を示す。次いで、更新された変数ＳＴＡＴＵＳによって特定される測定タスクのレポートステータスに基づき、現在の測定タスクのレポートステータスとして現在の測定タスクが終了している、又は、報告されなくなっていることが検出され、対応の測定ストラテジが、ユーザ端末が、測定ＩＤ２に関係付けられている測定オブジェクト２、すなわち、周波数Ｂ上のセルの測定を中止するというものになる。
【００７１】
ステップ５０３：変数ＶａｒＭｅａｓｕｒｅｍｅｎｔＲｅｐｏｒｔｓの測定ＩＤ２に対応するノードを削除する。
【００７２】
ここで、変数ＶａｒＭｅａｓｕｒｅｍｅｎｔＲｅｐｏｒｔｓの測定ＩＤ２に対応するノードの削除は、変数ＶａｒＭｅａｓｕｒｅｍｅｎｔＲｅｐｏｒｔｓがリストの形態で提示されている場合、指標キーワードである測定ＩＤ２に対応する項目の記録を消去することであり、変数ＶａｒＭｅａｓｕｒｅｍｅｎｔＲｅｐｏｒｔｓがアレイの形態で提示されている場合、アレイキーワードである測定ＩＤ２に対応するアレイデータを削除することである。
【００７３】
ここで、ユーザ端末が測定前に別の検出を実行するとき、測定ＩＤ２の場合、測定ＩＤ２は周期トリガ報告方式で報告される測定に関係付けられており、変数ＳＴＡＴＵＳによって特定される測定タスクのレポートステータスに基づいて現在の測定タスクのレポートステータスを検出することができるように、ＳＡ＜Ｓ値であるかまたはＳ値が構成されていない場合は測定ＩＤ２に対応する変数ＳＴＡＴＵＳにはチェックが必要である。そして、ＳＴＡＴＵＳ＝ＦＩＮＩＳＨであることが判明し、ユーザ端末が、測定オブジェクト２に対応する周波数Ｂ上のＬＴＥセルではなく、測定オブジェクト１に対応する周波数Ａを測定することになる。
【００７４】
ユーザ端末が測定再構成処理にかけられる場合、限定はしないが、次のケースがある。ケース１：測定ＩＤ２に対応する測定オブジェクト２を、対応のレポート構成２を変更せずに再構成して周波数Ｃにする。ケース２：測定ＩＤ２に対応するレポート構成２を再構成して周期トリガ報告タイプにする。すなわち、周期トリガ報告方式で測定が報告される（ｒｅｐｏｒｔＳｔｒｏｎｇｅｓｔＣｅｌｌｓＦｏｒＳＯＮ）。ケース３：測定オブジェクト２およびレポート構成２の両方を再構成する。ケース４：測定ＩＤ２を再構成するときに、測定ＩＤ２に対応する変数ＳＴＡＴＵＳ２をＦＩＮＩＳＨからＲＵＮＮＩＮＧに設定し直し、新たな測定タスクに対して引き続き測定を行う。測定再構成の場合、周期トリガ報告に関係付けられる測定ＩＤに関して、測定時にユーザ端末によって用いられる測定実施方法を採用することもできる。すなわち、測定ＩＤに対応する変数ＳＴＡＴＵＳを始めに設定して更新し、変数ＳＴＡＴＵＳによって特定される測定タスクのレポートステータスに従って現在の測定タスクのレポートステータスを検出する。
【００７５】
ユーザ端末がハンドオーバ処理または再確立処理にかけられる場合、限定はしないが、次のケースがある：非ハンドオーバ処理中に測定が再構成されない場合であっても、測定ＩＤ２に対応する変数ＳＴＡＴＵＳ２をＦＩＮＩＳＨからＲＵＮＮＩＮＧに設定し直すことで、ハンドオーバ後にユーザ端末が別の測定を実行することができるようにする。ハンドオーバにおいて、周期トリガ報告に関係付けられる測定ＩＤに関して、測定時にユーザ端末によって用いられる測定実施方法を採用することもできる。すなわち、測定ＩＤに対応する変数ＳＴＡＴＵＳを始めに設定して更新し、変数ＳＴＡＴＵＳによって特定される測定タスクのレポートステータスに従って現在の測定タスクのレポートステータスを検出する。
【００７６】
例２：測定タスクのレポートステータスを特定するための変数ＳＴＡＴＵＳを追加することなく、既存の変数ＶａｒＭｅａｓｕｒｅｍｅｎｔＲｅｐｏｒｔｓを介して現在の測定タスクの動作状態を把握することが可能である。変数ＶａｒＭｅａｓｕｒｅｍｅｎｔＲｅｐｏｒｔｓのみを介して現在の測定タスクのレポートステータスを検出することができる。すなわち、変数ＶａｒＭｅａｓｕｒｅｍｅｎｔＲｅｐｏｒｔｓの周期トリガ方式で報告された測定に対応する測定ＩＤに関して、変数ＶａｒＭｅａｓｕｒｅｍｅｎｔＲｅｐｏｒｔｓの測定ＩＤに対応するノードのレポート計数値が所定の最大レポート回数未満であるかまたは当該最大レポート回数以上であるかを直接判定することによって、測定タスクを測定すべきか否かを判定することができる。したがって、現在の測定タスクのレポートステータスが変数ＶａｒＭｅａｓｕｒｅｍｅｎｔＲｅｐｏｒｔｓに基づいて検出され、ユーザ端末が対応の測定ストラテジを用いて現在の測定タスクのレポートステータスに対応する現在の測定タスクの測定オブジェクトを処理する。さらに、現在の測定タスクの終了後、すなわち、変数ＶａｒＭｅａｓｕｒｅｍｅｎｔＲｅｐｏｒｔｓの現在の測定ＩＤに対応するノードのレポート計数値が所定の最大レポート回数以上になった後、変数ＶａｒＭｅａｓｕｒｅｍｅｎｔＲｅｐｏｒｔｓの現在の測定ＩＤに対応するノードは削除されない。すなわち、測定ＩＤと、測定ＩＤに対応するレポート計数値とが変数ＶａｒＭｅａｓｕｒｅｍｅｎｔＲｅｐｏｒｔｓに記憶される。
【００７７】
詳細には、ユーザ端末が測定を実行するときに、変数ＶａｒＭｅａｓｕｒｅｍｅｎｔＲｅｐｏｒｔｓの全ての測定ＩＤが確認される。測定ＩＤ２に関して、ユーザ端末は、ＳＡ＜Ｓ値であるかまたはＳ値が構成されていない場合、周波数Ａ上の全てのＬＴＥセルを測定する。測定ＩＤ２に関して、ユーザ端末は、ＳＡ＜Ｓ値であるかまたはＳ値の代わりに測定間隔が構成されている場合、周波数Ｂ上の全てのＬＴＥセルを測定する。このことから、測定の必要条件が満たされている限り、つまり、ユーザ端末が利用中のセルのＳＡが構成されたＳ値未満であるかまたはＳ値が構成されていない限り、ユーザ端末が、測定ＩＤに対応する測定オブジェクトを測定することが分かる。
【００７８】
周期トリガ報告に関係付けられる測定ＩＤ２の場合、測定実施方法は、以下のステップを含む。
【００７９】
ステップ６０１：測定ＩＤ２に対応する変数ＶａｒＭｅａｓｕｒｅｍｅｎｔＲｅｐｏｒｔｓのノードに対する関連の判定結果に従って、現在の測定タスクのレポートステータスを検出する。ユーザ端末が対応の測定ストラテジを用いて現在の測定タスクの測定オブジェクトを処理する。
【００８０】
ここで、測定ＩＤが測定タスクに対応し、対応の測定タスクの測定オブジェクトは、測定ＩＤ２に対応する測定オブジェクト２である。
【００８１】
ここで、ユーザ端末は、変数ＶａｒＭｅａｓｕｒｅｍｅｎｔＲｅｐｏｒｔｓの測定ＩＤ２に対応するノードを検索し、判定を下す。現在の判定結果として、測定ＩＤ２に対応するノードが見つからないか、または、現在の測定ＩＤのレポートタイプがイベントトリガ報告であるかまたは現在の測定ＩＤのレポートタイプが周期トリガ報告であり、かつレポート計数値が所定の最大レポート回数未満である測定ＩＤ２に対応するノードをユーザ端末が見つけた場合、現在の測定タスクのレポートステータスとして現在の測定タスクが終了していない、又は、報告され続けていることが検出され、対応の測定ストラテジは、ユーザ端末が、測定タスクが終了していないものと見なし、測定ＩＤ２に関係付けられている測定オブジェクト２、すなわち、周波数Ｂ上のセルの測定を継続するというものになる。
【００８２】
さらに、ユーザ端末が測定タスクを実行しており、レポートが終了する度に、変数ＶａｒＭｅａｓｕｒｅｍｅｎｔＲｅｐｏｒｔｓの測定ＩＤ２に対するレポート計数値を１だけ増加させる。ユーザ端末は、変数ＶａｒＭｅａｓｕｒｅｍｅｎｔＲｅｐｏｒｔｓの測定ＩＤ２に対応するノードの検索を継続し、判定を下す。現在の判定結果として、現在の測定ＩＤのレポートタイプが周期トリガ報告であり、かつ、レポート計数値が所定の最大レポート回数以上である測定ＩＤ２に対応するノードをユーザ端末が見つけた場合、現在の測定タスクのレポートステータスとして現在の測定タスクが終了している、又は、報告されなくなったことが検出され、対応の測定ストラテジは、ユーザ端末が報告を中止し、測定ＩＤ２に関係付けられている測定オブジェクト２、すなわち、周波数Ｂ上のセルの測定を継続するというものになる。
【００８３】
ステップ６０２：変数ＶａｒＭｅａｓｕｒｅｍｅｎｔＲｅｐｏｒｔｓの測定ＩＤ２に対応するノードを常に記憶する。すなわち、変数ＶａｒＭｅａｓｕｒｅｍｅｎｔＲｅｐｏｒｔｓの測定ＩＤ２に対応するノードは削除されない。これは、変数ＶａｒＭｅａｓｕｒｅｍｅｎｔＲｅｐｏｒｔｓがリストの形態で提示されている場合、測定ＩＤ２をその指標キーワードとする項目の記録が消去されないこと、または、変数ＶａｒＭｅａｓｕｒｅｍｅｎｔＲｅｐｏｒｔｓがアレイの形態で提示されている場合、測定ＩＤ２をそのアレイキーワードとするアレイデータが削除されないことを意味する。
【００８４】
ここで、ユーザ端末が測定前に別の検出を実行するとき、測定ＩＤ２に関して、ＳＡ＜Ｓ値であるかまたはＳ値の代わりに測定間隔が構成されている場合、変数ＶａｒＭｅａｓｕｒｅｍｅｎｔＲｅｐｏｒｔｓの測定ＩＤ２に対応するノードが記憶されるため、変数ＶａｒＭｅａｓｕｒｅｍｅｎｔＲｅｐｏｒｔｓの測定ＩＤ２のノードに対する判定を通じて、測定ＩＤ２に対応するノードのレポート計数値が所定の最大レポート回数以上であり、ユーザ端末によって報告される測定レポートがもはや必要ないことを知ることができる。そして、ユーザ端末が、測定オブジェクト２に対応する周波数Ｂ上のセルではなく、測定オブジェクト１に対応する周波数Ａのみを測定することになる。
【００８５】
ユーザ端末が測定再構成処理にかけられる場合、限定はしないが、次のケースがある。ケース１：レポート構成２を変更せずに、測定ＩＤ２に対応する測定オブジェクト２を再構成して周波数Ｃにする。ケース２：測定ＩＤ２に対応するレポート構成２を再構成して周期トリガ報告方式で報告される測定にする（ｒｅｐｏｒｔＳｔｒｏｎｇｅｓｔＣｅｌｌｓＦｏｒＳＯＮ）。ケース３：測定オブジェクト２およびレポート構成２の両方を再構成する。ケース４：ユーザ端末が新たな測定タスクを測定することができるように測定ＩＤ２を再構成したときに変数ＶａｒＭｅａｓｕｒｅｍｅｎｔＲｅｐｏｒｔｓの測定ＩＤ２の各ノードを削除する。
【００８６】
ユーザ端末がハンドオーバ処理または再確立処理にかけられる場合、ユーザ端末が新たな測定タスクを測定することができるように、つまり、ユーザ端末が新たなセルの全ての測定ＩＤに対して測定タスクを実行することができるように、変数ＶａｒＭｅａｓｕｒｅｍｅｎｔＲｅｐｏｒｔｓの全てのノードが削除される。
【００８７】
例３：測定タスクのレポートステータスを特定するための変数ＳＴＡＴＵＳを追加しない。測定タスクの終了後、測定ＩＤ構成がユーザ端末によって削除される。すなわち、周期的な測定タスクの場合、既存の変数ＶａｒＭｅａｓｕｒｅｍｅｎｔＲｅｐｏｒｔｓの測定ＩＤに対応するノードのレポート計数値が最大レポート回数以上になった後、測定ＩＤを測定中に確認することができないため、測定ＩＤに対応する測定タスクの測定を終了する。
【００８８】
ユーザ端末がハンドオーバ処理または再確立処理にかけられる場合、周期トリガ報告に関係付けられる測定タスクにおいて、変数ＶａｒＭｅａｓｕｒｅｍｅｎｔＣｏｎｆｉｇｕｒａｔｉｏｎの対応の測定ＩＤを削除する。また、ｅＮＢの場合、周期トリガ報告方式で報告される測定レポートが終了して停止されている場合、ユーザ端末を再構成し、測定ＩＤを測定タスクの再開のために追加する必要がある。
【００８９】
詳細には、ユーザ端末が測定を実行するときに、ユーザ端末の既存変数、すなわち、変数ＶａｒＭｅａｓｕｒｅｍｅｎｔＣｏｎｆｉｇｕｒａｔｉｏｎにおける全ての測定ＩＤが確認される。測定ＩＤ１に関して、ユーザ端末は、ＳＡ＜Ｓ値であるかまたはＳ値が構成されていない場合、周波数Ａ上の全てのＬＴＥセルを測定する。測定ＩＤ２に関して、ユーザ端末は、ＳＡ＜Ｓ値であるかまたはＳ値の代わりに測定間隔が構成されている場合、周波数Ｂ上の全てのＬＴＥセルを測定する。このことから、測定の必要条件が満たされている限り、つまり、ユーザ端末が利用中のセルのＳＡが構成されたＳ値未満であるかまたはＳ値が構成されていない限り、ユーザ端末が、測定ＩＤに対応する測定オブジェクトを測定することが分かる。
【００９０】
周期トリガ報告に関係付けられる測定ＩＤ２の場合、測定実施方法は、以下のステップを含む。
【００９１】
ステップ７０１：ユーザ端末は、変数ＶａｒＭｅａｓｕｒｅｍｅｎｔＣｏｎｆｉｇｕｒａｔｉｏｎの測定ＩＤに対応する全ての測定オブジェクトを測定する。すなわち、ユーザ端末は、変数ＶａｒＭｅａｓｕｒｅｍｅｎｔＣｏｎｆｉｇｕｒａｔｉｏｎに対して測定ＩＤリストを検索し、測定ＩＤ２が見つかった場合に測定ＩＤ２に関係付けられている測定オブジェクト２、すなわち、周波数Ｂ上のセルの測定を継続する。
【００９２】
さらに、ユーザ端末が測定タスクを実行しており、報告が終了する度に、変数ＶａｒＭｅａｓｕｒｅｍｅｎｔＲｅｐｏｒｔｓの測定ＩＤ２に対するレポート計数値を１だけ増加させる。ユーザ端末は、測定ＩＤ２に対応するレポート計数値が所定の最大レポート回数以上になると、報告を中止する。
【００９３】
ステップ７０２：測定タスクのレポートステータスがＵＮＦＩＮＩＳＨからＦＩＮＩＳＨに変更されたときに、ユーザ端末は自動的に、変数ＶａｒＭｅａｓｕｒｅｍｅｎｔＣｏｎｆｉｇｕｒａｔｉｏｎの測定ＩＤリストから測定ＩＤ２を削除し、変数ＶａｒＭｅａｓｕｒｅｍｅｎｔＲｅｐｏｒｔｓの測定ＩＤ２に対応するノードを削除する。
【００９４】
変数ＶａｒＭｅａｓｕｒｅｍｅｎｔＲｅｐｏｒｔｓの測定ＩＤ２に対応するノードの削除は、変数ＶａｒＭｅａｓｕｒｅｍｅｎｔＲｅｐｏｒｔｓがリストの形態で提示されている場合、指標キーワードである測定ＩＤ２に対応する項目の記録を消去することであり、変数ＶａｒＭｅａｓｕｒｅｍｅｎｔＲｅｐｏｒｔｓがアレイの形態で提示されている場合、アレイキーワードである測定ＩＤ２に対応するアレイデータを削除することである。
【００９５】
ここで、変数ＶａｒＭｅａｓｕｒｅｍｅｎｔＣｏｎｆｉｇｕｒａｔｉｏｎの測定ＩＤ２が削除されているため、ユーザ端末は、次の測定前の検出中に、測定オブジェクト２に対応する周波数Ｂ上のＬＴＥセルではなく、測定オブジェクト１に対応する周波数Ａを測定することになる。
【００９６】
ユーザ端末がハンドオーバ処理または再確立処理にかけられる場合、変数ＶａｒＭｅａｓｕｒｅｍｅｎｔＣｏｎｆｉｇｕｒａｔｉｏｎの対応の測定ＩＤ２は、周期的トリガレポートに関係付けられる測定タスクのために自動的に削除される。
【００９７】
ｅＮＢによって、測定ＩＤ２による周期的な測定タスクを再開させたい場合、ユーザ端末を測定再構成処理にかけることによって、測定ＩＤ２を変数ＶａｒＭｅａｓｕｒｅｍｅｎｔＣｏｎｆｉｇｕｒａｔｉｏｎの測定ＩＤリストに再び追加する。測定ＩＤ２が追加されて再構成されると、ユーザ端末は、測定ＩＤ２に対応する測定オブジェクトを再測定することができる。
【００９８】
明らかなように、当業者であれば、本発明のモジュールまたはステップは、汎用コンピュータによって実現することができること、単一のコンピュータにまとめることができるかまたは、複数のコンピュータから成るネットワークに分散することができること、および任意選択でコンピュータ実行可能プログラムコードによって実現することができることを理解されるであろう。したがって、モジュールまたはステップを、コンピュータによって実行される記憶装置に記憶することができ、また、複数の集積回路モジュールに別々に製造することもできる。また、これらのモジュールまたはステップの一部が、単一の集積回路モジュールに製造されてもよい。したがって、本発明は、ハードウェアとソフトウェアとの任意の特殊な組合せに限定されない。
【００９９】
上記のものは本発明の好適な実施形態に過ぎず、本発明はこれに限定されず、種々の変更形態および変形形態が当業者によって可能である。また、特許請求の範囲に規定される本発明の精神及び範囲に逸脱しない限り、あらゆる変更、均等な代替物、および改良が可能であることを理解されたい。
【図１】
0005468621.tif 000002
【図２】
0005468621.tif 000003
【図３】
0005468621.tif 000004